(57)【要約】【課題】  高い電流負荷においても優れた動作安定性を有する永久電流スイッチ及びそれを組み込んだ超電導磁石を提供する。【解決手段】  永久電流スイッチ用超電導線２２の内部の超電導フィラメント２１相互をその長手方向の所定位置２４において局所的に超電導材料で電気的に接続する。【選択図】  図３
2005150245.tif 000002
【特許請求の範囲】
【請求項１】
安定化金属の内部に複数本の超電導フィラメントが配置された超電導線と、前記超電導線を加熱するための加熱手段とを備える永久電流スイッチにおいて、
前記超電導線の内部に配置された複数本の超電導フィラメントは、当該超電導線の長手方向の所定位置において、超電導材料によって相互に電気的に接続されていることを特徴とする永久電流スイッチ。
【請求項２】
安定化金属の内部に複数本の超電導フィラメントが配置された複数本の超電導線と、前記超電導線を加熱するための加熱手段とを備える永久電流スイッチにおいて、
前記複数本の超電導線は撚線され、撚線内部の超電導フィラメントは、当該撚線の長手方向の所定位置において、超電導材料によって相互に電気的に接続されていることを特徴とする永久電流スイッチ。
【請求項３】
請求項１又は２記載の永久電流スイッチにおいて、前記超電導フィラメントを相互に電気的に接続する超電導材料は鉛を含有する超電導合金であることを特徴とする永久電流スイッチ。
【請求項４】
請求項１又は２記載の永久電流スイッチにおいて、前記超電導線は無誘導巻された構造を有し、前記超電導線の長手方向の所定位置は無誘導巻の線材折り返し位置であることを特徴とする永久電流スイッチ。
【請求項５】
請求項１〜４のいずれか１項記載の永久電流スイッチにおいて、前記長手方向の所定位置において前記安定化金属が前記超電導材料によって局所的に置換されていることを特徴とする永久電流スイッチ。
【請求項６】
磁場発生用の超電導コイルと、前記超電導コイルと並列に接続された永久電流スイッチとを含む超電導磁石において、
前記永久電流スイッチとして請求項１〜５のいずれか１項記載の永久電流スイッチを備えたことを特徴とする超電導磁石。
【請求項７】
磁場を発生するための超電導磁石と、一対の傾斜磁場印加手段と、高周波磁場を被検体に対して送信すると共に被検体からの磁気共鳴信号を受信する高周波送受信手段と、前記高周波送受信手段及び前記傾斜磁場印加手段を制御すると共に前記磁気共鳴信号の取込みを制御し画像処理を行なう手段とを含む磁気共鳴イメージング装置において、
前記超電導磁石として請求項６記載の超電導磁石を備えることを特徴とする磁気共鳴イメージング装置。
【発明の詳細な説明】
【技術分野】
【０００１】
本発明は、超電導コイルと永久電流スイッチを備える超電導磁石及びその応用装置に関する。
【背景技術】
【０００２】
永久電流モードで運転される超電導磁石の要素体である永久電流スイッチには、動作状態における擾乱に対して高い電磁気的な安定性が要求される。特開昭６１−２６９３０１号公報には、高い外部磁場中や、高い運転電流で動作する磁石に使用される永久電流スイッチの動作安定性を向上するための方法として、複数個の永久電流スイッチを電気的に並列接続して１スイッチ当りの電流容量を下げる方法が記載されている。
【０００３】
【特許文献１】特開昭６１−２６９３０１号公報
【発明の開示】
【発明が解決しようとする課題】
【０００４】
永久電流スイッチの動作不安定性は、スイッチがOFF状態（常電動状態）にある時のスイッチの電気抵抗を高くする必要性から、超電導フィラメントを内蔵する金属マトリックスの電気抵抗を高くしていることに起因するものである。つまり、スイッチがON状態（超電導状態）の時、超電導フィラメントに局所的な擾乱が生じると、電流が隣接する他の超電導フィラメントに転流するが、その際に金属マトリックスの発熱が大きく、結果として超電導線材の全域が常電導転移してしまう現象が生じる。従って、スイッチの安定性を確保するために、線材を細くして運転電流を下げる、あるいは永久電流回路に複数個のスイッチを並列配置してスイッチ当りの電流負荷を下げる等の手法がとられていた。
【０００５】
しかし、上記の複数個の永久電流スイッチを用いて高磁場中での使用や大電流運転に対応する方法は、磁石構造のコンパクト化を妨げる。また、電気配線構造に起因して複数のスイッチ間でインダクタンス、あるいは端子部の接続電気抵抗に差異が生じた場合、スイッチに流れる電流値に差異が生じるため、スイッチ全体として均等に電流を分担させることが困難である。
【０００６】
本発明は、高い電流負荷においても優れた動作安定性を有する永久電流スイッチ及びそれを組み込んだ超電導磁石を提供することを目的とする。
【課題を解決するための手段】
【０００７】
上記目的を達成するため、本発明では、安定化金属の内部に複数本の超電導フィラメントが配置された超電導線と、超電導線を加熱するための加熱手段とを備える永久電流スイッチにおいて、超電導線の内部に配置された複数本の超電導フィラメントを、超電導線の長手方向の所定位置において、超電導材料によって相互に電気的に接続した。
【０００８】
また、安定化金属の内部に複数本の超電導フィラメントが配置された複数本の超電導線と、超電導線を加熱するための加熱手段とを備える永久電流スイッチにおいて、複数本の超電導線を撚線し、撚線内部の超電導フィラメントを、撚線の長手方向の所定位置において、超電導材料によって相互に電気的に接続した。
【０００９】
本発明によると、動作状態で永久電流スイッチに擾乱が生じた場合でも、常電導転移したフィラメントに流れる電流が速やかに隣接するフィラメントに転流するため大きなジュール発熱が生じることなしに、線材全体が超電導状態に復帰する。これは超電導線内部の超電導フィラメントに流れる電流の再配分に必要な時定数τは、線材両端部のフィラメントの接続抵抗Ｒと、スイッチを構成する線材のインダクタンスＬより、τ＝Ｌ／Ｒで表され、この時定数τを小さくするためにはインダクタンスＬを小さくすれば良いことによる。一般的に永久電流スイッチはそのインダクタンスを小さくするために無誘導巻されることが多く、スイッチのインダクタンスは平行配置された超電導線の長さに依存するため、電流再配分される線材長さを短くすれば時定数低減の効果が得られる。即ち、スイッチを構成する超電導線の長手方向に対して周期的あるいは部分的にフィラメント相互を超電導接続のような極めて低い電気抵抗で接続すれば、電流再配分の時定数が短くなり、結果としてスイッチ全体の動作安定性が確保できることになる。
【００１０】
なお、超電導フィラメント相互を電気的に接続する個所を複数箇所設ける場合には、線材の長手方向に対して接続箇所の間隔が均等であることが好ましい。即ち、間隔が極度に異なると、最も間隔の長い領域の線材にて不安定性が生じやすくなる。なお、これら、超電導フィラメント相互を電気的に接続する個所の間隔と個数は、任意に設定できる。計算上は永久電流スイッチ用の超電導線の安定化材がＣｕ−Ｎｉであり、電気抵抗が無酸素銅と比較して約１００倍高い場合には、１００分割することが理想であるが、無誘導巻きの折り返し点でフィラメント相互を電気的に接続する場合のように２分割であっても効果が発揮できる。
【００１１】
また超電導線内部のフィラメント相互を局所的に電気接続する手段として、鉛を含有する超電導合金を用いた。Ｐｂ−Ｂｉ等の鉛を含有する超電導合金は、臨界磁界が１Ｔ程度と比較的高く、永久電流スイッチが磁場中に配置されてもフィラメント相互の電気接続を超電導状態に保持できると共に、低融点であるため半田付けで接続処理することが可能となる。適用できるＰｂ合金としては、Ｐｂ−Ｂｉ，Ｐｂ−Ｓｎ，Ｐｂ−Ｉｎ等がある。
【発明の効果】
【００１２】
本発明によると、高い電流負荷においても優れた動作安定性を有する永久電流スイッチが得られる。そして、この永久電流スイッチを超電導コイルと組合せて超電導磁石を構成すると、永久電流回路の安定性が向上し、時間安定性に優れた超電導磁石が得られる。
【発明を実施するための最良の形態】
【００１３】
以下、図面を参照して本発明の実施の形態を説明する。理解を容易にするため、以下の図において、同じ機能部分には同一の符号を付して説明する。
【００１４】
図１は、本発明による超電導磁石の電気回路を示す概略図である。この超電導磁石１０は、超電導コイル１１、永久電流スイッチ１３、保護抵抗１４を並列接続した回路に励磁電源１５を接続した構造を有する。図１に破線で示した部分１６は、超電導磁石の構造範囲を表す。永久電流スイッチ１３は、巻線された超電導線１７とこれを加熱するヒータ１８が内蔵された構造を有し、ヒータ電源１９によってヒータ１８をON／OFFすることによって超電導巻線１７の常電導／超電導を制御するものである。超電導磁石１０の励磁回路を永久電流モードにする手順は次の通りである。
(1) 永久電流スイッチ１３のヒータ１８をONとし、永久電流スイッチ１３をOFF（常電導）とする。
(2) 励磁電源１５により超電導コイル１１に通電する。
(3) 永久電流スイッチ１３のヒータ１８をOFFとし、永久電流スイッチ１３をON（超電導）にする。この操作で、超電導コイル１１と永久電流スイッチ１３からなる永久電流回路（閉回路）に電流が流れる。
(4) 励磁電源１５の電流を下げる。
【００１５】
超電導コイル１１への通電速度を早くするためには、並列接続された永久電流スイッチ１３のOFF時の電気抵抗を高くし、永久電流スイッチ１３への分流を小さくする必要があり、永久電流スイッチ用の超電導線１７の安定化材にはＣｕ−Ｎｉが使用されることが多い。しかし、安定化材に高抵抗材を用いることは、動作状態における擾乱に対して電磁気的な安定性が小さくなるトレードオフ関係ある。
【００１６】
（実施例１）
図２に、本発明による永久電流スイッチの一例の構造概要図を示す。図３は、その配線展開図である。
【００１７】
永久電流スイッチを構成する超電導線材として、Ｃｕ−３０Ｎｉマトリックス内部に直径１０μｍのＮｂＴｉ超電導フィラメント２１を１０００本、多芯配置した直径０．６ｍｍの超電導線２２を用いた。この超電導線２２を長さ３０ｍ用い、二つ折りしてボビン２３に巻線した無誘導構造の永久電流スイッチ２０を作製した。その後、線材を二つ折りした領域２４のＣｕ−Ｎｉを化学的に溶解除去した後、その溶解除去した箇所に露出したＮｂ−Ｔｉ超電導フィラメントをＰｂ−Ｂｉ合金で半田付けすることで、フィラメント相互を超電導材料（Ｐｂ−Ｂｉ合金）で電気的に接続した。実際の永久電流スイッチには、超電導線２２を加熱する手段としてヒータ線が設けられているが、加熱手段は本発明の本質に係わるものではないため、図の見やすさを考えてヒータ線は図示を省略した。永久電流スイッチ２０の超電導線材の両端部は永久電流スイッチ口出し部２５から引き出され、磁場発生用の超電導コイル１１の超電導線１２の端部と接続部２６ａ，２６ｂで互いに超電導接続される。図３に破線で示した領域２７は、永久電流スイッチ２０の構造範囲を示している。
【００１８】
作製した永久電流スイッチ２０を液体ヘリウムに漬浸した状態で通電試験したところ、スイッチがON状態（超電導状態）で通電できた最大電流は外部磁場が１Ｔの条件下で８００Ａであり、超電導線が本来有する臨界電流特性に近い通電性能を達成することができた。なお、無誘導巻きの折返し部２４のフィラメント相互を超電導材料で接続しない以外は、同一の構造を有する永久電流スイッチを比較用として作成したところ、比較用の永久電流スイッチは動作不安定性を示し、約５００Ａ程度の電流値で常電導転移した。即ち、線材の長手方向に対して局所的にフィラメント相互を接続することによって永久電流スイッチの動作安定性が向上することが実験によっても確認された。
【００１９】
なお、フィラメント相互を超電導接続する方法として、この例ではＰｂ−Ｂｉ合金による半田付けを用いたが、接続手法に関する制限は特になく、フィラメントの特性に劣化がない範囲でこれらが相互に超電導接続のごとく低電気抵抗で接続されていればよい。また、超電導フィラメント相互を接続する長手方向の間隔及び数は、本例に示したように、永久電流スイッチを構成する超電導フィラメントの全長の中間位置の１箇所に限られるものではない。一般に、超電導フィラメント相互を接続する位置の長手方向の間隔が短いほどその効果が大きいが、スイッチ形状に応じて任意に選択することができる。
【００２０】
（実施例２）
図４は、本発明による永久電流スイッチの他の例の配線展開図である。ここでは、永久電流スイッチ４０を構成する超電導線材として実施例１と同様の超電導線材２２を長さ３０ｍ用い、永久電流スイッチとして巻線する前に、次の処理を施した。長手方向の６ｍ毎に、超電導線材２２の銅合金の安定化材を長さ約５ｍｍ除去し、安定化材が除去された領域４１ａ〜４１ｄに露出した超電導フィラメント２１相互をＰｂ−Ｂｉ半田により電気接続した。その後に無誘導巻線して永久電流スイッチ４０を作製した。
【００２１】
作製された永久電流スイッチを液体ヘリウムに漬浸した状態で通電試験したところ、永久電流スイッチがON状態（超電導状態）で通電できた最大電流は、外部磁場が１Ｔの条件下で８２５Ａであった。本実施例においても、超電導線２２が本来有する臨界電流特性に近い通電性能を達成することができた。即ち、予め超電導線材の長手方向の所定位置で局所的に超電導フィラメント相互を接続した後に永久電流スイッチを作製しても、その動作安定性が向上することが実験によっても確認された。これはＰｂ合金が比較的柔らかく、変形性に優れていることによるものである。
【００２２】
（実施例３）
図５は、本発明による永久電流スイッチの他の例の配線展開図である。ここでは、永久電流スイッチ５０を構成する超電導線材として、実施例１と同様の線材を長さ３０ｍに渡って３本撚り合わせた撚線５２を用いた。この撚線５２を二つ折りしてボビンに巻線し、無誘導構造の永久電流スイッチ５０を作製した。その後、線材の二つ折りした領域２４のＣｕ−Ｎｉ合金を硝酸によって化学的に溶解除去し、露出した超電導フィラメントをＰｂ−Ｂｉ合金で半田付けすることで、フィラメント相互を超電導材料で電気的に接続した。
【００２３】
作製された永久電流スイッチ５０を液体ヘリウムに漬浸した状態で通電試験したところ、永久電流スイッチがON状態（超電導状態）で通電できた最大電流は外部磁場が１Ｔの条件下で２３００Ａであり、超電導線が本来有する臨界電流特性に近い通電性能を達成することができた。即ち、素線のみならず撚線５２においても、超電導フィラメント相互を長手方向の所定位置において部分的に電気接続することにより、超電導フィラメント間の転流に必要な時定数が短くなり、結果として動作安定性が改善されることが確認された。これは、従来技術のごとく永久電流スイッチを電気的に並列接続することで、ひとつのスイッチ当りの電流分担率を下げるという手法をとることなしに、超電導線を撚線にし、線材自体の電流容量を増加させることでも、優れた動作安定性を有するスイッチが提供できることを示している。
【００２４】
（実施例４）
実施例３に示した永久電流スイッチを、永久電流モードで運転される超電導磁石に組み込んで、図４の回路図に示した超電導磁石を作製し、励磁試験を行った。永久電流スイッチ１３がOFF状態（スイッチを加熱し常電導とした状態）で外部の励磁電源１５により超電導コイル１１を励磁した後に、永久電流スイッチ１３をON状態（ヒータ加熱を停止し、超電導状態とする）として永久電流モードとした。
【００２５】
永久電流回路に流れる電流は７００Ａで、超電導コイル１１の発生する磁場は、コイル中心で４．０Ｔであった。永久電流スイッチ１３が配置された場所での磁場は約１Ｔであったが、永久電流スイッチ部１３の擾乱によるクエンチは発生せず高安定な特性が得られた。
【００２６】
（実施例５）
図６は、本発明による超電導磁石を組み込んだ磁気共鳴イメージング装置の外観図を示す図である。図７はこれら磁気共鳴イメージング装置を構成する機器類の構成ブロック図を示す。
【００２７】
実施例４で得られた超電導磁石６１ａ，６１ｂを上下に対向配置し、その間隙部に均一磁場を発生させた。患者（被検体）は、移動テーブル６２に寝た状態で、超電導磁石６１ａ，６１ｂの間の均一磁場発生空間に挿入される。さらに一対の傾斜磁場印加手段、高周波磁場を被検体に対し送信すると共に被検体からの磁気共鳴信号を受信する高周波送受信手段、高周波送受信手段及び傾斜磁場印加手段に接続され高周波磁場と傾斜磁場とを制御すると共に核磁気共鳴信号の取込みを制御し画像処理を行なう制御手段６５を設けることで、図６に示すような磁気共鳴イメージング装置を構成した。なお、傾斜磁場印加手段と高周波送受信手段は、超電導磁石と一体構造である。
【００２８】
対向配置した一対の超電導磁石６１ａ，６１ｂの中央部の空間に、約２．０Ｔの磁場を永久電流状態でかつ、擾乱に対して高安定に発生し、保持することができた。これにより、磁気共鳴原理を利用したイメージング撮影が繰り返される作業が長期間にわたって安定して実施できるようになった。
【図面の簡単な説明】
【００２９】
【図１】本発明による超電導磁石の電気回路を示す概略図。
【図２】本発明による永久電流スイッチの一例の構造概要図。
【図３】本発明による永久電流スイッチの一例の配線展開図。
【図４】本発明による永久電流スイッチの他の例の配線展開図。
【図５】本発明による永久電流スイッチの他の例の配線展開図。
【図６】本発明による超電導磁石を組み込んだ磁気共鳴イメージング装置の外観図。
【図７】本発明による超電導磁石を組み込んだ磁気共鳴イメージング装置の構成要素ブロック図。
【符号の説明】
【００３０】
１０：超電導磁石、１１：超電導コイル、１２：超電導コイルの超電導線、１３：永久電流スイッチ、１４：保護抵抗、１５：励磁電源、１７：超電導線、１８：ヒータ、１９：ヒータ電源、２０：永久電流スイッチ、２１：超電導フィラメント、２２：超電導線、２３：ボビン、２４：線材を二つ折りした領域、２５：永久電流スイッチ口出し部、２６ａ，２６ｂ：接続部、４０：永久電流スイッチ、４１ａ〜４１ｄ：安定化材が除去された領域、５０：永久電流スイッチ、５２：撚線、６１ａ，６１ｂ：超電導磁石、６２：移動テーブル、６５：制御手段
【図１】
2005150245.tif 000003
【図２】
2005150245.tif 000004
【図３】
2005150245.tif 000005
【図４】
2005150245.tif 000006
【図５】
2005150245.tif 000007
【図６】
2005150245.tif 000008
【図７】
2005150245.tif 000009